(57)【特許請求の範囲】
【請求項１】
多数のガラス長繊維と発泡樹脂とから成形された成形品から作られる覆蓋であって、面板の裏面の外周に２本の主梁と２本の桁とを枠状に突設し、面板の裏面の中間部に複数本の小梁を桁と同一方向に架設し、さらにその複数本の小梁の両端部を主梁と接合し、その小梁の両端部を、２本の主梁の下端部内面にそれぞれ接合した長い補強梁にも接合したことを特徴とする覆蓋。
【請求項２】
請求項１に記載の覆蓋であって、補強梁を２本の桁に接合する長さとしたことを特徴とする覆蓋。
【発明の詳細な説明】
【０００１】
【発明の属する技術分野】
本発明は、公共下水処理施設や農村又は漁村集落の排水設備のような水路、あるいは貯水槽や汚物槽等に使用される覆蓋に関し、詳しくは、断面二次モーメントを大きくすることにより、軽量化を図りつつ、撓みにくいようにした覆蓋に関するものである。
【０００２】
【従来の技術】
公共下水処理施設や農村又は漁村集落の排水設備のような水路Ｓには、図７に示すように、その開口部分が多数枚の覆蓋１００によって塞がれている。この覆蓋１００は従来、一般的に鉄筋コンクリート製の覆蓋１００が使用されていた。しかし、覆蓋１００は適宜、開ける必要があるため、軽量化の要請があった。
【０００３】
このような要請に応えるため、いわゆる合成木材製の覆蓋１００が発明されている。合成木材は、多数のガラス長繊維と発泡樹脂とから形成された成形品であり（積水化学工業社製商品名「エスロンネオランバーＦＦＵ」など）、比重が0.74又は0.5 と小さく、単位面積当たりの重量が10〜25kg/m2 と軽量化されている。しかも、この成形品は接着や切断などの現場加工が容易といった特長を有している。
【０００４】
このような成形品から作られた覆蓋１００は、図８に示すように、面板１０１の裏面側の外周に主梁１０２と桁１０３とが枠状に突設されている。さらに面板１０１の裏面側の中間部分であって、主梁１０２間には補強のための小梁１０４が桁１０３と同じ方向に架設されている。面板１０１、主梁１０２、桁１０３及び小梁１０４は接着剤によって一体化される。
【０００５】
この覆蓋１００は図７に示すように、複数枚が並べられるが、覆蓋１００と覆蓋１００との間の隙間から異臭が漏出しないようにするため、隣り合う覆蓋１００の面板１０１の裏面側には、図９又は図１０に示すように、突出するシール部材１１０を「Ｌ」字形の押さえ部材１１１とネジ１１２によって取り付ける。シール部材１１０は面板１０１の端部から突出する。シール部材１１０を取り付けた覆蓋１００と、シール部材１１０を取り付けていない覆蓋１００とを交互に並べることにより、シール部材１１０を取り付けていない覆蓋１００の面板１０１がシール部材１１０上に接合し、水路Ｓ内の異臭が覆蓋１００と覆蓋１００との間から漏出しないようにする。
【０００６】
合成木材製の覆蓋１００は、基本的に上記のように構成されるが、使用目的が公共下水処理施設か農村又は漁村集落の排水設備かなどによって、落とし込み型、据置型あるいは受枠落とし込み型というような構造に若干、変更される。ここで受枠落とし込み型の従来例を図１１を示す。
【０００７】
受枠落とし込み型は、水路Ｓの開口部分に段差部Ｄ（図７参照）を形成し、その段差分Ｄに桁１０３が載せられるようにしたものである。したがって、水路Ｓの開口部分の上面と面板１０１の表面とが同一面に揃えられる。また、主梁１０２が比較的（図７に示した覆蓋１００よりも）幅広に形成され、撓みにくくすることができる。ただし、主梁１０２の両端部は水路Ｓの開口部分の段差部Ｄに当たらないように、斜め向きに切断され、幅が狭くされている。
【０００８】
面板１０１の裏面側の中間部には、複数本の小梁１０４，１０４…が桁１０３と同じ方向に架設され、その小梁１０４，１０４…の両端部が主梁１０２と接合するようにされている。各小梁１０４が主梁１０２と接合する両端部の下面には、主梁１０２に突設した小さな係止材１６０を接合される。小梁１０４は係止材１６０に支承されて位置ずれすることなく、また面板１０１が撓むことがないように補強される。係止材１６０はそれぞれの小梁１０４を支承するように接着剤によって主梁１０２に接合される。
【０００９】
他の落とし込み型や据置型の覆蓋１００も、基本的に上記の受枠落とし込み型の覆蓋１００と同様の構成である。ただし、落とし込み型の覆蓋１００は、水路Ｓの開口部分に段差部Ｄが形成されないため、桁１０３が省かれ、面板１０１の裏面の両端部が水路Ｓの開口部の上面に載せられる。
【００１０】
【発明が解決しようとする課題】
上記の合成木材によって組み立てられた覆蓋１００は、軽量化されるという特長があるものの、撓みやすいという性質も有している。面板１０１が撓むと、雨溜まりが生じたり、面板１０１と主梁１０２や小梁１０４とが剥離して、面板１０１の強度が低下するといった不都合が生じる。したがって、面板１０１の裏面には主梁１０２や小梁１０４が架設されるだけでなく、小梁１０４の両端部には主梁１０２に突設した係止材１６０が接合され、面板１０１が撓みにくいようにされている。
【００１１】
しかし、従来の構造では、断面二次モーメントが小さいことから、面板１０１が完全に撓まないようにするには、面板１０１を厚くしたり、主梁１０２や小梁１０４を太くしなければならず、軽量化された成形品によって覆蓋を作るという利点が半減されていた。
【００１２】
そこで本発明は、断面二次モーメントを大きくすることにより、軽量化を図りつつ、撓みにくいようにした覆蓋を提供することを目的とする。
【００１３】
【課題を解決するための手段】
上記の課題を解決するための第１の手段は、多数のガラス長繊維と発泡樹脂とから成形された成形品から作られる覆蓋であって、面板の裏面の外周に２本の主梁と２本の桁とを枠状に突設し、面板の裏面の中間部に複数本の小梁を桁と同一方向に架設し、さらにその複数本の小梁の両端部を主梁と接合し、その小梁の両端部を、２本の主梁の下端部内面にそれぞれ接合した長い補強梁にも接合したことを特徴とする覆蓋である。
【００１４】
上記の第１の手段によれば、面板は主梁及び複数本の小梁に支承され、複数本の小梁は補強梁に繋がれた状態で支承される。したがって、覆蓋の断面二次モーメントが大きくなり、軽量化を図りつつ面板が撓みにくくなる。
【００１５】
上記の課題を解決するための第２の手段は、上記の第１の手段に記載の覆蓋であって、補強梁を２本の桁に接合する長さとしたことを特徴とする覆蓋である。
【００１６】
上記の第２の手段によれば、補強梁は桁に接合するまで、長く梁に接合するとともに、桁にも支えられた状態となる。したがって、補強梁が撓むことがなく、補強梁に接合された小梁は位置ずれすることがない。
【００１７】
【発明の実施の形態】
本発明に係る覆蓋を図１から図６を参照して説明する。図１は、本発明に係る第１例の覆蓋の一部分の断面正面図である。図２は、本発明に係る第１例の覆蓋を下方から見た断面斜視図である。図３は、本発明に係る第２例の覆蓋の一部分の断面正面図である。図４は、本発明に係る第２例の覆蓋を下方から見た断面斜視図である。図５は、本発明に係る覆蓋の第３例の一部分の断面正面図である。図６は、本発明に係る覆蓋の第４例の一部分の断面正面図である。
【００１８】
本発明に係る覆蓋の第１例は据置型であり、図１に示すように、桁３が水路Ｓの開口部分の上面に載せられるようにした構造のものである。したがって、この据置型で使用する覆蓋は、桁３が開口部分の上面に載せられることにより、安定した構造であるといった利点がある反面、覆蓋が水路Ｓの開口部分の上面に大きく突出するため、使用場所によっては覆蓋が邪魔になる場合もあるといった欠点がある。
【００１９】
この据置型の覆蓋は図２に示すように、面板１の裏面１ａの外周に２本の主梁２と２本の桁３とを枠状に突設し、面板１の裏面１ａの中間部に複数本の小梁４，４…を桁３と同一方向に架設し、さらにその複数本の小梁４，４…の両端部４ａ，４ａ…を主梁２と接合し、その小梁４の両端部４ａを、主梁２の下端部内面に接合した１本（２本の主梁２に接合するため、１つの覆蓋につき合計２本）の長い補強梁５にも接合したことを特徴とするものである。補強梁５は２本の桁３と接合する長さとする。いずれの部材も接着剤によって一体化することにより生産性を向上させることができる。また、必要に応じて、面板１の裏面１ａからシール部材（図示せず）を突出させる。
【００２０】
このような据置型の覆蓋は、上記のように桁３が水路Ｓの開口部の上面に載せられる。水路Ｓの開口部の上面に載せられた覆蓋が位置ずれしないようにするため、開口部の上面には「Ｌ」字型のアングル１０を固定する。また、そのアングル１０が覆蓋の桁３と当接する上面にはパッキン１１を固着しておき、水路Ｓ内の異臭が水路Ｓの開口部と覆蓋の桁３との間から外部に漏出しないようにすることが望ましい。
【００２１】
つぎに、第２例の覆蓋について図３及び図４を参照しながら説明する。第２例の覆蓋は受枠落とし込み型であり、従来の技術において説明したように、水路Ｓの開口部分に段差部Ｄを形成し、その段差部Ｄに桁３が載せられるようにしたものである。そのため、覆蓋の面板１の裏面１ａに突設した主梁２は、両端部が段差部Ｄ上に載ることができるようにするため、狭くされ、中間部分が幅広の変形台形状とする。この変形台形状の主梁２の下端部２ａに１本の長い補強梁５を突設する。そして、面板１の裏面１ａに架設した複数の小梁４，４…の両端部４ａ，４ａ…が、この１本の長い補強梁５に繋がれて支承されるようにする。ただし、補強梁５の両端部は桁３と接合していなくても差し支えない。
【００２２】
このような覆蓋の桁３を載せる水路Ｓの開口部に形成された段差部Ｄには、「Ｌ」字型のアングル１０を固定し、第１例と同様、さらにそのアングル１０の上面には防臭用のパッキン１１を固着する。
【００２３】
つぎに第３例の覆蓋について図５を参照しながら説明する。第３例の覆蓋も第２例の覆蓋と同様、受枠落とし込み型であるが、桁３を幅広のものとし、その桁３に最も外側の小梁４を接合したものである。したがって、主梁２の下端部２ａに突設する１本の長い補強梁５は、中間部分の小梁４の両端部４ａだけでなく、最も外側の小梁４の両端部４ａとも接合する。他の構成は、水路Ｓの開口部を含めて、第２例と同じであるため、その説明は省略する。
【００２４】
つぎに、第４例の覆蓋について図６を参照しながら説明する。第４例の覆蓋は落とし込み型であり、面板１の裏面１ａに桁３を突設せず、面板１の裏面１ａの両端部が水路Ｓの開口部分の上面に載せられ、主梁２が開口部分内に埋没したように設置するものである。したがって、覆蓋が開口部からあまり突出することなく、水路Ｓの開口部に蓋をすることができる利点がある反面、載せられている面板１の両端部と最も外側の小梁４との境界部分が強度的に弱く、破損しやすいといった欠点がある。したがって、面板１の裏面１ａの両端部と、最も外側の小梁４の外面とには、ＦＲＰ２０を被覆することによって補強する。他の覆蓋の構成は第３例と同じであるため、その説明は省略する。
【００２５】
本発明に係る覆蓋はいずれの例においても、複数の小梁４，４…を繋ぐように支承する１本の補強梁５を、主梁２の下端部２ａに突設したことにより、断面二次モーメントが大きくなり、面板１が薄く、主梁２や小梁４が細くても、面板１は撓みにくくなる。したがって、この覆蓋は、軽量化されるため、多数枚を効率よく現場に搬送することができる。そして、必要に応じて水路Ｓの開口部分を容易に開けることができる。
【００２６】
なお、本発明は上記の発明の実施の形態に限定するものではない。すなわち、上記した覆蓋の使用例は、防臭のために、水路の開口に蓋をするものであるが、ケーブルを配線するＵ字溝に蓋をする場合などにも使用することができる。異臭が覆蓋の内側から漏出しないときは、隣り合う覆蓋の面板の裏面にシール部材を取り付けなくても差し支えない。
【００２７】
【発明の効果】
本発明によれば、複数の小梁を繋ぐように支承する１本の補強梁を、主梁の下端部に突設したことにより、断面二次モーメントが大きくなり、面板が薄く、主梁や小梁が細くても、面板が撓みにくくなる。この結果、面板上に雨溜まりが残ることがなく、また、面板と主梁や小梁とが離隔することがないという覆蓋を、軽量化することができる。したがって、水路の開口部分から覆蓋を取り外す作業性が向上する。しかも、覆蓋は撓みにくいものであるから、面板の強度が低下して、破損しやすいという不都合は生じず、覆蓋は頻繁に交換する必要もない。
【図面の簡単な説明】
【図１】本発明に係る第１例の覆蓋の一部分の断面正面図である。
【図２】本発明に係る第１例の覆蓋を下方から見た断面斜視図である。
【図３】本発明に係る第２例の覆蓋の一部分の断面正面図である。
【図４】本発明に係る第２例の覆蓋を下方から見た断面斜視図である。
【図５】本発明に係る覆蓋の第３例の一部分の断面正面図である。
【図６】本発明に係る覆蓋の第４例の一部分の断面正面図である。
【図７】覆蓋の使用例を示す断面斜視図である。
【図８】従来の覆蓋を下方から見た斜視図である。
【図９】従来の覆蓋を複数枚、並べたときの側面断面図である。
【図１０】従来の覆蓋を複数枚、並べたときの図９とは異なる一部側面断面図である。
【図１１】従来の覆蓋を下方から見た断面斜視図である。
【符号の説明】
１      面板
１ａ    裏面
２      主梁
３      桁
４      小梁
４ａ    両端部
５      補強梁
【図１】
0003930077.tif 000002
【図２】
0003930077.tif 000003
【図３】
0003930077.tif 000004
【図４】
0003930077.tif 000005
【図５】
0003930077.tif 000006
【図６】
0003930077.tif 000007
【図７】
0003930077.tif 000008
【図８】
0003930077.tif 000009
【図９】
0003930077.tif 000010
【図１０】
0003930077.tif 000011
【図１１】
0003930077.tif 000012